(57)【要約】【課題】  現場での溶接作業を不要としつつ、地震発生時にカウンタウエイト枠の広がりを防止するための拘束力が充分に得られるようにすること。【解決手段】  被挟持プレート８は、略中央部に位置する上下一対のサブウエイト６m，６m+1間に挟持され、下側のサブウエイト６m+1を跨ぐように両端部が折曲形成されている。支持プレート９は、サブウエイト６1〜６Nの両側面に沿って配置されると共に、このサブウエイトの長手方向に沿って伸び、被挟持プレート８の両端部に固着されている。枠変形拘束部材１０は、カウンタウエイト枠２の上下方向に伸びる部分である柱部材３を抱持する形状を有し、支持プレート９の両端部に、その長手方向に向かう締付力を有するネジ部材により固着されている。【選択図】図１
2005263351.tif 000002
【特許請求の範囲】
【請求項１】
昇降路内を上下方向に伸びるガイドレールに案内されるガイドシューが取り付けられたカウンタウエイト枠と、
前記カウンタウエイト枠の内側で上下方向に積み重ねられた複数個の長寸状サブウエイトと、
を備え、前記ガイドレールに沿って前記昇降路内を乗りかごと反対方向に昇降動するカウンタウエイトにおいて、
前記積み重ねられた複数個の長寸状サブウエイトのうち略中央部に位置する上下一対のサブウエイト間に挟持され、且つこの下側のサブウエイトを跨ぐように両端部が折曲形成された被挟持プレートと、
前記サブウエイトの両側面に沿って配置されると共に、このサブウエイトの長手方向に沿って伸び、前記被挟持プレートの両端部に固着された一対の長寸状支持プレートと、
前記カウンタウエイト枠の上下方向に伸びる部分を抱持する形状を有し、前記一対の長寸状支持プレートの両端部に、この長寸状支持プレートの長手方向に向かう締付力を有するネジ部材により固着された一対の枠変形拘束部材と、
を有する、
ことを特徴とするカウンタウエイト枠広がり防止装置。
【請求項２】
前記枠変形拘束部材は、
略コ字状の断面形状を有し、前記カウンタウエイト枠の上下方向に伸びる部分を抱持する姿勢で上下にそれぞれ配置された一対の枠抱持ブラケットと、
前記上下にそれぞれ配置された一対の枠抱持ブラケットに両端部が溶着された渡りプレートと、
により構成されている、
ことを特徴とする請求項１記載のカウンタウエイト枠広がり防止装置。
【請求項３】
前記渡りプレートに締結プレートが取り付けられており、この締結プレートが前記長寸状支持プレートの端部に溶着されたボルト部材で締結されている、
ことを特徴とする請求項２記載のカウンタウエイト枠広がり防止装置。
【発明の詳細な説明】
【技術分野】
【０００１】
本発明は、地震発生時にカウンタウエイト枠が広がることによりカウンタウエイトを構成しているサブウエイトが落下するのを防止するためのカウンタウエイト枠広がり防止装置に関するものである。
【背景技術】
【０００２】
昇降路内を上下方向に伸びるガイドレールに沿ってこの昇降路内を乗りかごと反対方向に昇降動するカウンタウエイトは、ガイドレールに案内されるガイドシューが取り付けられたカウンタウエイト枠と、このカウンタウエイト枠の内側で上下方向に積み重ねられた複数個の長寸状サブウエイトと、を含んで構成されている。
【０００３】
このカウンタウエイトは、地震発生時にカウンタウエイト枠が広がってサブウエイトが落下するのを防止するためのカウンタウエイト枠広がり防止装置を備えている。このカウンタウエイト枠広がり防止装置の設置は、プレート、フレーム、ブラケット等の各種部材を施工現場でカウンタウエイトに取り付けることにより行われる。
【０００４】
そして、上記各種部材の取り付けを現場で行うにあたっては、極力溶接作業を行わないようにすることが要請される。何故なら、もし現場で溶接作業を行うとすると、現場での溶接機器の準備等に少なからず労力を費やし、また、溶接作業終了後には発火が発生しないことを確認するために所定時間の経過を待たなければならず、結果として作業時間の増大につながるからである。更に、各種部材の取り付けを現場での溶接により行ってしまうと、取り付け後の部材位置の変更が非情に困難になることも理由になっている。
【０００５】
そこで、例えば特許文献１では、固定金具をカウンタウエイト枠の外側に組み付け、固定金具をボルト及びナットにより締め付ける構成を採用して、現場での溶接作業を不要とする技術が提案されている。
【特許文献１】特開２００１−１８０８８０号公報
【発明の開示】
【発明が解決しようとする課題】
【０００６】
しかし、上記特許文献１の構成は、固定金具に鍔部を形成しておき、この鍔部をボルト及びナットで締め付けるものである。したがって、このような構成では充分な締め付け力を得ることができず、そのため、地震発生時にはこの固定金具がカウンタウエイト枠の広がりを充分に拘束できない虞がある。
【０００７】
本発明は、このような事情に鑑みてなされたものであり、現場での溶接作業を不要としつつ、地震発生時にカウンタウエイト枠の広がりを防止するための拘束力を充分に得ることができるカウンタウエイト枠広がり防止装置を提供することを目的としている。
【課題を解決するための手段】
【０００８】
上記課題を解決するための手段として、請求項１記載の発明は、昇降路内を上下方向に伸びるガイドレールに案内されるガイドシューが取り付けられたカウンタウエイト枠と、前記カウンタウエイト枠の内側で上下方向に積み重ねられた複数個の長寸状サブウエイトと、を備え、前記ガイドレールに沿って前記昇降路内を乗りかごと反対方向に昇降動するカウンタウエイトにおいて、前記積み重ねられた複数個の長寸状サブウエイトのうち略中央部に位置する上下一対のサブウエイト間に挟持され、且つこの下側のサブウエイトを跨ぐように両端部が折曲形成された被挟持プレートと、前記サブウエイトの両側面に沿って配置されると共に、このサブウエイトの長手方向に沿って伸び、前記被挟持プレートの両端部に固着された一対の長寸状支持プレートと、前記カウンタウエイト枠の上下方向に伸びる部分を抱持する形状を有し、前記一対の長寸状支持プレートの両端部に、この長寸状支持プレートの長手方向に向かう締付力を有するネジ部材により固着された一対の枠変形拘束部材と、を有する、ことを特徴とする。
【０００９】
請求項２記載の発明は、請求項１記載の発明において、前記枠変形拘束部材は、略コ字状の断面形状を有し、前記カウンタウエイト枠の上下方向に伸びる部分を抱持する姿勢で上下にそれぞれ配置された一対の枠抱持ブラケットと、前記上下にそれぞれ配置された一対の枠抱持ブラケットに両端部が溶着された渡りプレートと、により構成されている、ことを特徴とする。
【００１０】
請求項３記載の発明は、請求項２記載の発明において、前記渡りプレートに締結プレートが取り付けられており、この締結プレートが前記長寸状支持プレートの端部に溶着されたボルト部材で締結されている、ことを特徴とする。
【発明の効果】
【００１１】
本発明によれば、サブウエイト同士の間に挟持された被挟持プレートに固着された一対の長寸状支持プレートと、カウンタウエイト枠の上下方向に伸びる部分を抱持する形状を有する一対の枠変形拘束部材とでカウンタウエイト枠の周囲を囲むようにし、一対の長寸状支持プレートの両端部と一対の枠変形拘束部材とをネジ部材で固着し、その締付力が長寸状支持プレートの長手方向に向かうようにしている。したがって、長寸状支持プレートと枠変形拘束部材との固着は非常に強固なものとなっており、カウンタウエイト枠の広がりを防止するための拘束力を充分に大きくすることができる。
【発明を実施するための最良の形態】
【００１２】
図１は、本発明の実施形態に係るカウンタウエイト枠広がり防止装置が取り付けられたカウンタウエイトを示す正面図である。この図において、カウンタウエイト１は、左右一対の柱部材３，３及び上下一対の梁部材４，４により形成されるカウンタウエイト枠２を備えている。そして、カウンタウエイト枠２の上側には一対のガイドシュー５，５が取り付けられ、また下側にも一対のガイドシュー５，５が取り付けられている。これらのガイドシュー５は、昇降路内を上下方向に伸びるガイドレール（図示せず）に案内されるものであり、これによりカウンタウエイト１は昇降路内をガイドレールに沿って昇降動可能となる。
【００１３】
カウンタウエイト枠２の内側にはＮ（Ｎは２以上の適当な整数）個のサブウエイト６1〜６Nが積み重ねられた状態で配置されている。これらのサブウエイトは、柱部材３，３に形成されている切り欠き溝３ａ，３ａから、やや斜めの姿勢（水平方向で）にしてカウンタウエイト枠２の内側に１個ずつ滑り込むようにして配置されたものである。なお、最上部のサブウエイト６1は押さえ板７により押さえられており、上方への跳ね上がりが防止されている。
【００１４】
そして、これらサブウエイト６1〜６Nの略中央部付近にカウンタウエイト枠広がり防止装置が取り付けられている。このカウンタウエイト枠広がり防止装置は、サブウエイト６1〜６Nのうち略中央部に位置する上下一対のサブウエイト６m，６m+1間（ｍは、１≦ｍ≦Ｎの範囲の適当な整数）に挟持された左右一対の被挟持プレート８，８と、サブウエイトの両側面に沿って配置され、被挟持プレート８，８に固着された一対の支持プレート９，９と、支持プレート９の両端部に締結プレート１１を介してネジ部材で固着された枠変形拘束部材１０とを有している。
【００１５】
図２は、上記のカウンタウエイト枠広がり防止装置を構成する主要部材の外観形状を示した斜視図である。被挟持プレート８は、その中間部分が、図１に示したように、上下一対のサブウエイト６m，６m+1間に挟持されるようになっており、その両端部が下側のサブウエイト６m+1を跨ぐように下方へ向けて折曲形成されている。そして、この被挟持プレート８の両端部内側に一対の支持プレート９，９が溶着されている。更に、この一対の支持プレート９，９の内側端部に一対のスタッドボルト１４，１４の基端部がピッチ寸法Ｐ2となるように溶着されている。
【００１６】
枠変形拘束部材１０は、上下一対の枠抱持ブラケット１２，１２、及びその間に両端部が溶着された渡りプレート１３により構成されている。枠抱持ブラケット１２は、略コ字状の断面形状を有するもので、その内側に、カウンタウエイト枠２の上下方向に伸びる部分すなわち柱部材３を抱持する姿勢で配置されるものである。また、渡りプレート１３の中央部には、一対のネジ孔１３ａ，１３ａがピッチ寸法Ｐ1で形成されている。
【００１７】
締結プレート１１は、略Ｌ字形状の断面形状を有するもので、ピッチ寸法Ｐ1の一対の孔部１１ａ，１１ａ、及びピッチ寸法Ｐ2の一対の孔部１１ｂ，１１ｂが形成されている。
【００１８】
図３は、図１のＡ部についての詳細を示す部分拡大図である。この図に示すように、被挟持プレート８の中間部分がサブウエイト６mとサブウエイト６m+1との間に挟持されているため、両サブウエイト間に間隙Ｓが生じている。そして、締結プレート１１の孔部１１ｂを、支持プレート９の内側に溶着されているスタッドボルト１４先端のネジ部が挿通しており、このネジ部にナット１５が螺着している。したがって、枠変形拘束部材１０は、ネジ部材である締結プレート１１及びナット１５により、水平方向すなわち支持プレート９の長手方向の力で締め付けられている。
【００１９】
図４は、図３のIV-IV方向からの矢視図である。この図では、図１乃至図３において示されていなかった六角ボルト１６が２本示されている。この２本の六角ボルト１６の先端ネジ部は、図２で示した孔部１１ａを通ってネジ孔１３ａに螺着されている。そして、この六角ボルト１６の外側に、上述したスタッドボルト１４が位置しており、孔部１１ｂを挿通したその先端ネジ部にナット１５が螺着している。
【００２０】
図５は、図３のV-V方向からの矢視図である。この図は、サブウエイト６m，６m+1の幅と、被挟持プレート８の幅とを対比して示したものである。なお、この図ではスタッドボルト１４の図示は省略してある。
【００２１】
次に、上記のように構成されるカウンタウエイト枠広がり防止装置の現場での取付作業につき説明する。作業員は、まず、カウンタウエイト１（当初はサブウエイトが取り付けられていないものとする）を昇降路内での作業場所であるピットに移動する。そして、最下段のサブウエイト６Nからサブウエイト６m+1までを１個ずつ順に切り欠き溝３ａ，３ａを通してカウンタウエイト枠２の内側に配置する。
【００２２】
次いで、作業員は、図２に示した、被挟持プレート８、スタッドボルト１４、及びスタッドボルト１４の組立体を持ち込み、一対の支持プレート９，９が、それぞれサブウエイト６m+1の両面に沿う状態となり、且つ被挟持プレート８の中間部がサブウエイト６m+1の上面に載るように配置する。この場合、作業員は、この組立体をやや斜めにすることにより、一対の支持プレート９，９のうちの一方をサブウエイト６m+1の向こう側へ円滑に潜らせることができる。
【００２３】
そして、作業員は、枠変形拘束部材１０の渡りプレート１３中間部に締結プレート１１を当て、六角ボルト１６で締め付けることにより、この締結プレート１１を渡りプレート１３に取り付ける。作業員は、このように締結プレート１１が取り付けられた２組の枠変形拘束部材１０を支持プレート９の両端部に位置させ、更に、締結プレート１１の孔部１１ｂに対してスタッドボルト１４の先端ネジ部を挿通させる。この後、作業員は、孔部１１ｂから突出しているスタッドボルト１４の先端ネジ部にナット１５を螺着させる。これにより、締結プレート１１を介して支持プレート９と枠変形拘束部材１０との間の締め付けが強固に行われる。
【００２４】
このように、カウンタウエイト枠広がり防止装置の取り付けが行われた後、作業員はサブウエイト６m〜６1までを１個ずつ順に切り欠き溝３ａ，３ａを通してカウンタウエイト枠２の内側に配置する。これによって、作業員のカウンタウエイト枠広がり防止装置のカウンタウエイト１への取付作業が全て終了する。
【００２５】
上記のようにして取り付けられた本実施形態のカウンタウエイト枠広がり防止装置の構成につき考察してみると、作業員の取付作業は全てボルト部材又はネジ部材の締め付けであり、溶接作業は不要となっているため、作業効率の良好なものとなっている。それ故、一旦取付を行った後に、取付位置を変更する場合も容易に再取付を行うことができる。
【００２６】
また、強度的な面でも、支持プレート９の両端に位置する一対の枠変形拘束部材１０，１０が支持プレート９の長手方向に向かう締付力で締結プレート１１を介して強固に締結されているので、非常に良好なものとなっている。したがって、地震発生時には、カウンタウエイト枠２の広がりを有効に防止し、サブウエイト６1〜６Nの落下を確実に防止することが期待できる。
【図面の簡単な説明】
【００２７】
【図１】本発明の実施形態に係るカウンタウエイト枠広がり防止装置が取り付けられたカウンタウエイトを示す正面図。
【図２】図１におけるカウンタウエイト枠広がり防止装置を構成する主要部材の外観形状を示した斜視図。
【図３】図１のＡ部についての詳細を示す部分拡大図。
【図４】図３のIV-IV方向からの矢視図。
【図５】図３のV-V方向からの矢視図。
【符号の説明】
【００２８】
１  カウンタウエイト
２  カウンタウエイト枠
３  柱部材（カウンタウエイト枠）
３ａ  切り欠き溝
４  梁部材（カウンタウエイト枠）
５  ガイドシュー
６1〜６N  サブウエイト
６m，６m+1  略中央部に位置する上下一対のサブウエイト
７  押さえ板
８  被挟持プレート
９  支持プレート
１０  枠変形拘束部材
１１  締結プレート
１１ａ  孔部
１１  孔部
１２  枠抱持ブラケット
１３  渡りプレート
１３ａ  ネジ孔
１４  スタッドボルト
１５  ナット
１６  六角ボルト
Ｓ  間隙
【図１】
2005263351.tif 000003
【図２】
2005263351.tif 000004
【図３】
2005263351.tif 000005
【図４】
2005263351.tif 000006
【図５】
2005263351.tif 000007